(57)【要約】【課題】メッセージが正常に送信できたときに限り課金する。【解決手段】サーバ２は、利用者１０から送られてくるメッセージデータの適合性を判定して入力し課金処理を行う。変換器３は、入力したメッセージデータを符号化して保持し、変調器４は放送プログラム信号と符号化されたメッセージデータを多重化する。送信機５は、変調器４からの多重化信号を電波として発射し、一般視聴者は文字放送を受信機１２にて受信できる。また放送局１の受信機６も発射された電波を受信する。復調器７は、受信機６で受信された多重化信号を復調しメッセージデータを抽出する。変換器は、抽出されたメッセージデータを符号化データに変換する。比較器９は、変換器３からの符号化データと変換器８からの符号化データとを比較して、その結果をサーバ２へ伝える。サーバ２は、比較結果が一致であるときは、送信は正常であったものとしてメッセージデータの送信を完了し課金する。【選択図】          図１
2005065127.tif 000002
【特許請求の範囲】
【請求項１】
文字放送を利用してメッセージを一般視聴者ヘオンエアしたい利用者がインターネット接続可能な放送局に、
前記利用者から送られてくるメッセージの適合性を判定して入力し課金処理を行うサーバと、
入力したメッセージデータを送信するために符号化する第１の変換器と、
放送プログラム信号と前記符号化された符号化データを多重化する変調器と、
前記変調器からの多重化信号を電波として発射する送信機と、
発射された電波を受信する受信機と、
前記受信機で受信された多重化信号を復調し前記メッセージデータを抽出する復調器と、
前記抽出されたメッセージデータを符号化データに変換する第２の変換器と、
前記第１の変換器からの符号化データと前記第２の変換器からの符号化データとを比較して、その結果を前記サーバへ伝える比較器を備え、
前記サーバは、前記比較の結果が一致する場合に前記利用者に課金することを特徴とする文字放送システム。
【発明の詳細な説明】
【技術分野】
【０００１】
本発明は、文字放送システム、特に、利用者からインターネットを介して送られてきた文字メッセージを音声信号等の放送用プログラムに多重化してオンエアする文字放送システムに関する。
【背景技術】
【０００２】
従来、文字放送において利用者が文字放送の電波にメッセージを載せるためには、該当の放送局に電話等でメッセージを伝え、放送局側では、メッセージが放送に相応しくない内容であるかをチェックした後、オペレータがそのメッセージを手動入力するようにしていた（文献公知発明でない）。しかし、これでは、利用者にとって手間がかかり過ぎ、また放送局側の負担も大きいという問題点があった。
【０００３】
このような問題点を解消する従来の文字放送の一つとして、インターネット網に開設したホームページを介して広告情報を専用サーバに登録し、公序良俗に違反しないように検証を行った後、通信衛星により所望の情報掲載箇所に伝送し、そこに備えたプラズマディスプレイにより広告情報を表示するようにした技術が知られている（例えば、特許文献１参照）。
【０００４】
【特許文献１】特開２００１−２２８４０（第１-４頁、図１）
【発明の開示】
【発明が解決しようとする課題】
【０００５】
しかしながら、上述した従来技術では、広告情報の伝送が正常にされたかのチェックは特に行っていないため、広告情報の伝送を有料化した場合には、広告情報が正常に送信されていなくとも広告主は課金されてしまうという問題点がある。
【０００６】
本発明の目的は、メッセージの入力と課金を自動化するとともに、メッセージが正常に送信できたときに限り課金するようにした文字放送システムを提供することにある。
【課題を解決するための手段】
【０００７】
本発明の文字放送システムは、文字放送を利用してメッセージを一般視聴者ヘオンエアしたい利用者（図１の１０）がインターネット（図１の１１）接続可能な放送局（図１の１）に、利用者から送られてくるメッセージの適合性を判定して入力し課金処理を行うサーバ（図１の２）と、入力したメッセージデータを送信するために符号化する第１の変換器（図１の３）と、放送用プログラム信号と符号化された符号化データを多重化する変調器（図１の４）と、変調器からの多重化信号を電波として発射する送信機（図１の５）と、発射された電波を受信する受信機（図１の６）と、受信機で受信された多重化信号を復調しメッセージデータを抽出する復調器（図１の７）と、抽出されたメッセージデータを符号化データに変換する第２の変換器（図１の８）と、第１の変換器からの符号化データと第２の変換器からの符号化データとを比較して、その結果をサーバへ伝える比較器（図１の９）を備え、サーバは、比較の結果が一致する場合に利用者に課金することを特徴とする。
【０００８】
サーバ２は、利用者からのメッセージを受け付けると変換器３にメッセージデータを送出する。変換器３では、次段の変調器４に適した形にはメッセージを符号化する。変調器４は変換器３で作られた符号化データを音声信号等の放送用プログラム信号に多重化し、次段の送信機５に送出する。
【０００９】
送信機５は、一般視聴者に電波を送出する装置であり、送出された電波は、一般視聴者が有する受信機（図１の１２）で受信され、一般視聴者は文字メッセージを見ることができる。
【００１０】
同時に、放送局においても、送出した電波を受信機６で受信し、メッセージを符号に戻し、送出したメッセージと受信したメッセージの一致確認を比較器で行う。
【発明の効果】
【００１１】
本発明によれば、利用者からのメッセージに不適切な語句が含まれていないかを自動的にチェックした上でオンエアするのでオペレータが不要になるとともに、発射された電波を放送局において受信してメッセージを抽出し、送信対象とされたメッセージとの比較によって正常なメッセージのオンエアを確認した後で利用者に課金することとしたので、利用者は不当な請求を受けることがなくなる。
【発明を実施するための最良の形態】
【００１２】
本発明の文字放送システムは、文字放送を利用してメッセージを一般視聴者ヘオンエアしたい利用者がインターネット接続可能な放送局において、オンエア対象のメッセージデータを符号化した符号化データを保持しておき、オンエアした電波を受信して、そこからメッセージ部分を抽出し、上記符号化データと同じフォーマットに変換して、保持している符号化データと比較する。その結果、一致したときに利用者に課金するようにしたものである。
【実施例１】
【００１３】
図１は本発明の文字放送システムの構成を示すブロック図である。この文字放送システムでは、利用者１０は、インターネット網１１を介して放送局１に接続しメッセージを送受信することができる。利用者１０とは、広告業者等、放送局が提供する文字放送を利用して広告等のメッセージを一般視聴者ヘオンエアしたい者をいい、放送局１への接続はパーソナルコンピュータ等のインターネット接続端末を使用して行う。
【００１４】
放送局１は、利用者１０からのメッセージデータを放送プログラム信号と多重化して送信する。一般視聴者は、このような文字放送を受信機１２にて受信し、受信機１２が備えているディスプレイによりメッセージを見ることができる。放送局１では、発射した電波を受信機６で受信してメッセージを抽出し、送信したメッセージと比較して一致を確認した上で利用者１０に課金する。
【００１５】
放送局１は、サーバ２，２つの変換器３および８，変調器４，送信機５，受信機６，復調器７および比較器９を備えている。
【００１６】
サーバ２は、利用者１０から送られてくるメッセージデータの適合性を判定して入力し課金処理を行う。変換器３は、入力したメッセージデータを送信するために符号化する。変調器４は、放送プログラム信号と符号化されたメッセージデータ（符号化データ）を多重化する。送信機５は、変調器４からの多重化信号を電波として発射する。受信機６は、発射された電波を受信する。
【００１７】
復調器７は、受信機６で受信された多重化信号を復調しメッセージデータを抽出する。変換器は、抽出されたメッセージデータを符号化データに変換する。比較器９は、変換器３からの符号化データと変換器８からの符号化データとを比較して、その結果をサーバ２へ伝える。サーバ２は、比較器９からの比較結果が不一致であるときは送信異常があったものとしてメッセージデータを再入力する。一方、比較結果が一致であるときは、送信は正常であったものとしてメッセージデータの送信を完了する。
【００１８】
次に、本実施例の動作について図２のフローチャートを用いて説明する。
【００１９】
放送局１においては、メッセージを文字放送に載せるためのホームページ等を開設していることが前提である。利用者１０は、インターネット網１１を介して放送局１のホームページにアクセスし、利用者登録を行いＩＤ番号を取得しておく。
【００２０】
利用者１０がメッセージの送信を依頼するときは、ホームページにメッセージと希望放送日時を記入して、インターネット網１１を介して送信を行う。
【００２１】
サーバ２は、利用者のＩＤを確認した上で（図２のステップＳ１）、メッセージと放送希望日時を受け付ける（ステップＳ２）。サーバ２は、放送法による禁止語句および放送事業者独自の放送倫理に基づいた自粛語句を記憶している。サーバ２は、受け付けたメッセージの内容が禁止語句または自粛語句に抵触しないかのチェックを行う（ステップＳ３）。その結果、不適切なメッセージがあれば（ステップＳ３でＮＯ）、利用者１０にアラームメッセージを通達する（ステップＳ４）。
【００２２】
また、メッセージ内容が適切であるときは（ステップＳ３でＹＥＳ）、利用者１０の放送希望日時に空きがあるか否かを判断し（ステップＳ５）、重複していれば（ステップＳ５でＮＯ）、利用者１０にアラームメッセージを通達する（ステップＳ４）。
【００２３】
メッセージ内容が適切であり、かつ放送希望日時に空きがあれば（ステップＳ５でＹＥＳ）、サーバ２は利用者１０にメッセージの内容，料金，放送予定日時等を確認する（ステップＳ６）。その結果、利用者１０において確認が得られないときは（ステップＳ７でＮＯ）、再度、メッセージと放送希望日時を受け付けて（ステップＳ２）、上述のステップＳ３〜Ｓ７を繰り返す。
【００２４】
利用者１０において確認が得られたときは（ステップＳ７でＹＥＳ）、放送予定日時になるとメッセージ内容を最終確認の上で（ステップＳ８）、サーバ２はメッセージデータを変換器３に送出する。最終確認は、先のメッセージ内容確認（ステップＳ６）後、放送予定日時到達時までの変更に対処するためである。
【００２５】
変換器３は、次段の変調器４に適した形にメッセージデータを符号化し、変調器４および比較器９に符号化データを送出する（ステップＳ９）。このとき、比較器９は符号化データを保持しておきオンエア後の確認に備える（ステップＳ１１）。
【００２６】
変調器４は、放送用プログラムに文字放送用の符号化データを多重し、送信機５は多重データを電波として発射（オンエア）する（ステップＳ１０）。これにより、一般視聴者の受信機１２にて放送用プログラムを視聴すると同時にメッセージを見ることができる。
【００２７】
受信機６は発射された電波を受信し、復調器７がそれを復調してする（ステップＳ１２）。復調器７は復調信号の中からメッセージデータに関する部分を抽出して変換器８に送出する（ステップＳ１３）。変換器８は、それを、変換器３で変換した符号化データと同一フォーマットに変換して比較器９に送出する（ステップＳ１４）。
【００２８】
比較器９は、保持している変換器３からの符号化データ（ステップＳ１１）と、変換器８からの符号化データの比較を行うことにより（ステップＳ１５）、メッセージ送信が正常に終了したことを確認する。
【００２９】
もしも、送信時の符号化データと受信時の符号化データとが一致せず、メッセージの送信異常があったと認められる場合には（ステップＳ１５でＮＯ）、オンエアと符号化データの保持（ステップＳ１０，Ｓ１１）を反復する。
【００３０】
最後に、送信時の符号化データと受信時の符号化データとが一致し、メッセージが正常に送信されたと認められる場合には（ステップＳ１５でＹＥＳ）、比較器９からサーバ２へ送信完了の情報を送出する。サーバ２は、利用者１０へ送信完了のＥメールを送出する（ステップＳ１６）とともに課金する（ステップＳ１７）。
【図面の簡単な説明】
【００３１】
【図１】本発明の文字放送システムの構成図
【図２】本発明の文字放送システムの動作を示すフローチャート
【符号の説明】
【００３２】
１        放送局
２        サーバ
３        変換器
４        変調器
５        送信機
６        受信機
７        受信機
８        変換器
９        比較器
１０      利用者
１１      インターネット網
１２      受信機
【図１】
2005065127.tif 000003
【図２】
2005065127.tif 000004